(57)【特許請求の範囲】
【請求項１】
端子金具へ取り付けられるゴム栓であって、
前記端子金具に設けられた狭持片に圧入されて狭持される樹脂又は金属製の圧入部を備え、
前記圧入部は、樹脂又は金属から形成された圧入筒と、該圧入筒から拡径して延び外面及び内面をシール部で覆われた嵌合筒と、
前記狭持片の左右の両側壁にコの字の切り抜きを設けてワイヤバレルで加締められた電線の外周に前端を当接させるまで前記狭持片の内方に屈曲させて前方に延びた前記狭持片の舌片により、前記狭持片に前記圧入部が圧入された前記端子金具と前記圧入部とが係止される係止手段と、
を備えた取付構造を有することを特徴とするゴム栓。
【発明の詳細な説明】
【技術分野】
【０００１】
本発明は、端子金具へのゴム栓の取付構造に関する。
【背景技術】
【０００２】
防水コネクタ等に用いられるゴム栓は、下記の特許文献１に示すように、ゴム栓の備える電線加締め部を端子金具のインシュレーションバレルで加締められ、電線とキャビティとの間をシールするように構成されている。
【０００３】
【特許文献１】特開２００４−２８８４３２号公報
【発明の開示】
【発明が解決しようとする課題】
【０００４】
上記従来のゴム栓では、加締められると切れが生じ、また、加締め位置がばらつくことで、シール機能が低下する虞があった。
【０００５】
本発明は斯かる課題に鑑みてなされたもので、上記課題を解決できるゴム栓の取付構造、ゴム栓、及び端子金具を提供することを目的とする。
【課題を解決するための手段】
【０００６】
このような目的を達成するために、本発明の取付構造を有するゴム栓は、端子金具へ取り付けられるゴム栓であって、
前記端子金具に設けられた狭持片に圧入されて狭持される樹脂又は金属製の圧入部を備え、前記圧入部は、樹脂又は金属から形成された圧入筒と、該圧入筒から拡径して延び外面及び内面をシール部で覆われた嵌合筒と、前記狭持片の左右の両側壁にコの字の切り抜きを設けてワイヤバレルで加締められた電線の外周に前端を当接させるまで前記狭持片の内方に屈曲させて前方に延びた前記狭持片の舌片により、前記狭持片に前記圧入部が圧入された前記端子金具と前記圧入部とが係止される係止手段と、を備えた取付構造を有することを特徴とする。
【発明の効果】
【０００７】
本発明によれば、ゴム栓の切れや加締め位置のばらつきを防いで、シール機能の低下を抑え、ゴム栓を用いた防水の信頼性を高めることができる。
【発明を実施するための最良の形態】
【０００８】
以下、図面を参照して、本発明の最良の形態を説明する。
図１は、本実施形態の端子金具５及びゴム栓１の前方からの斜視図である。図２は、ゴム栓１の縦断面図である。端子金具５は、銅等の金属から形成されており、図１に示すように、相手方の端子金具と接続される接続部５１と、電線の芯線を加締めるワイヤバレル５２と、ゴム栓１を左右の側方から包み込んで挟持する挟持片５３とを備えている。
【０００９】
挟持片５３は、ワイヤバレル５２の後縁から左右方向に延びた略矩形の平板体を、その左右の端部を間隙５５を設けて向かい合わせ、角筒状に丸めた概略形状を有している。挟持片５３の左右の両側壁には、コの字の切り抜きを設けて形成されて前方に延びた舌片を、挟持片５３の内方に屈曲させた形状を有した係止片５６が設けられている。係止片５６は、ワイヤバレル５２で加締められた電線の外周に前端を当接させるまで、挟持片５３の内方に屈曲している。
【００１０】
ゴム栓１は、円筒状の概略形状を有したゴム製のシール部３と、シール部３の前面から前方に延びた圧入部２とを備えている。シール部３は、圧入部２と一体化されており、図２に示すように、その内側が電線の挿通孔３２となっている。挿通孔３２の内面は、挿通孔３２に挿通された電線の外周面と密着して、キャビティ内をシールする。シール部３の前端部には、シール部３の外周面を膨出させて構成された２本のシール突条３１が、シール部３の周方向に沿って環状を呈して延びている。シール突条３１は、図示しないコネクタのキャビティにシール部３が収容されると、キャビティの内壁面と密着してキャビティ内をシールする。
【００１１】
圧入部２は、ＰＢＴ（ポリブチレンテレフタレート）等の樹脂又は銅等の金属から形成されており、角筒状の概略形状を有した圧入筒２ａの後縁部から、図２に示すように、後方に向けて嵌合筒２ｂが延びている。嵌合筒２ｂは、圧入筒２ａよりも拡径された略円筒状を呈しており、外面及び内面をシール部３で覆われて、圧入部２とシール部３とを一体化している。圧入筒２ａの前面には、シール部３の挿通孔３２と連通する電線挿通孔２１が開口している。圧入筒２ａの左右の側壁には、略矩形状を呈して前後方向に延びて、電線挿通孔２１に連通した係止孔２２が開口している。
【００１２】
図３（ａ）はゴム栓１の正面図，（ｂ）は端子金具５の背面図である。図３（ａ）に示すように圧入筒２ａの上下の高さをＨ２，左右の幅をＷ２、図３（ｂ）に示すように挟持片５３の上下の内壁面間の高さをＨ５，左右の内壁面間の幅をＷ５とすると、これらは、Ｈ２＜Ｈ５，Ｗ２＜Ｗ５，Ｗ５＜Ｈ２又はＨ５＜Ｗ２の関係を何れも満たすように設定されている。
【００１３】
また、図１に示すように係止孔２２の上下の高さをＨ２２，図３（ｂ）に示すように係止片５６の上下の高さをＨ５６とすると、これらは、Ｈ５６＜Ｈ２２の関係を満たすように設定されている。これにより、圧入部２と挟持片５３との間に生じる間隙によりゴム栓１が挟持片５３内で周方向に回転しても、係止片５６が係止孔２２内に落ち込んで収容される。
【００１４】
次に、端子金具５へのゴム栓１の取付方法を説明する。ゴム栓１を端子金具５に取り付ける際には、図４（ａ）に示すように、端子金具５の挟持片５３に圧入部２を向かい合わせたゴム栓１を、図４（ｂ）に示すように挟持片５３内に押し込む。すると、図４（ｃ）に示すように、圧入部２の圧入筒２ａが端子金具５の挟持片５３に圧入される。圧入筒２ａを圧入された挟持片５３は、間隙５５を拡開させて圧入筒２ａを挟持し、これにより圧入筒２ａが挟持片５３に固定される。すると、挟持片５３の係止片５６は、圧入筒２ａの係止孔２２に落ち込んで収容される。挟持片５３の後端がシール部３の前面に当接すると、ゴム栓１の前方への移動が規制されて、圧入部２が挟持片５３に過度に挿入されるのが防止される。圧入筒２ａに挟持片５３から引き抜く力が作用すると、圧入筒２ａの係止孔２２に挟持片５３の係止片５６が係止されて、挟持片５３からの圧入筒２ａの抜け出しが規制される。
【００１５】
本実施形態によれば、ゴム栓１を加締めずに、高い強度を持たせることのできる樹脂又は金属製の圧入筒２ａを介して端子金具５に取り付けることで、ゴム栓１の切れや加締め位置のばらつきが生じるのを防ぐことができる。この結果、シール機能の低下を抑え、ゴム栓１を用いた防水の信頼性を高めることができる。
【００１６】
また、本実施形態によれば、金属製の挟持片５３が圧入部２を圧入されると、間隙５５を拡開させて弾発力を働かせ、圧入部２を包み込むように挟持するので、端子金具５とゴム栓１とを密着させて高いシール性を得られる。
【００１７】
また、本実施形態によれば、端子金具５に接続された電線が端子金具５からの離脱方向に引っ張られると、挟持片５３の内方に屈曲した係止片５６が電線の被覆部に食い込んで、電線の離脱が規制される。このため、端子金具５の電線保持力を向上させることができる。特に、ワイヤバレル５２で十分に加締めるのが難しい極細電線等の電線保持力を効果的に高めることができる。
【００１８】
また、嵌合筒２ｂが縮閉及び拡開可能な開放端を備える構成の場合には、挿通孔３２に電線を挿通する際や、コネクタのキャビティにシール部３を挿入する際に外力が働くと、開放端を拡開又は縮閉させてゴム製のシール部３と共に嵌合筒２ｂが変形することから、これらの作業性を向上させることができる。また、圧入筒２ａの弾発力でシール性を高められる。
【００１９】
なお、シール部３と圧入部２とを一体化する方法は任意である。例えば、加硫成形金型の成形キャビティ内に配置した圧入部２の接着表面（嵌合筒２ｂの表面）に加硫接着剤を塗布した後、成形キャビティ内にゴム組成物を注入してシール部３を加硫成形すると同時に、圧入部２とシール部３とを加硫接着してもよい。また、別体に形成されたシール部３及び圧入部２を固着させて一体化させてもよい。例えば、ゴム組成物を用いて予め形成されたシール部３の前面に開口した環状の嵌入溝に、圧入部２の嵌入筒２ｂを嵌入し、両者を固着して一体化させても、更に必要に応じてシール部３を接着させてもよい。
【００２０】
また、挟持片５３の形状は、圧入された圧入部２を挟持できるのであれば任意であり、例えば、圧入部２が円筒状を呈しているのであれば、開放端を備える円筒状又は環状を呈していてもよい。また、挟持片５３の備える係止片５６及び圧入部２の係止孔２２の数量は任意であり、左右の側面だけでなく、下面や上面に備えられていても、また、一の側面に複数備えられていてもよい。
【図面の簡単な説明】
【００２１】
【図１】本発明の一実施形態の端子金具及びゴム栓の前方からの斜視図である。
【図２】図１に示すゴム栓の縦断面図である。
【図３】（ａ）はゴム栓の正面図，（ｂ）は端子金具の背面図である。
【図４】端子金具へのゴム栓の取付方法を説明する図である。
【符号の説明】
【００２２】
１          ゴム栓
２          圧入部
２ａ        圧入筒
２ｂ        嵌合筒
２１        電線挿通孔
２２        係止孔
３          シール部
３２        挿通孔
５          端子金具
５３        挟持片
５６        係止片
【図１】
0005325470.tif 000002
【図２】
0005325470.tif 000003
【図３】
0005325470.tif 000004
【図４】
0005325470.tif 000005